(57)【要約】【課題】通話開始技術は柔軟な及び使い易いインターフェースを提供すること。【解決手段】移動局は一以上のプロセッサ、一以上のプロセッサに接続された無線送受信器及びディスプレイ及び複数のキーを有するユーザーインターフェースを含む。無線送受信器は電話番号列を含むメッセージを受信するのに有効である。メッセージがディスプレイに視覚的に表示される場合、メッセージ中の電話番号列のハイパーリンクが作られる。電話番号列のハイパーリンクは、メッセージが視覚的に表示される間にエンドユーザーによって選択される場合に強調される。ハイパーリンクが選択される間に一回ＳＥＮＤキーを押すことにあわせて、電話番号列への電話が無線通信ネットワークを通じて開始される。途中に他のキーを押すことなく、ハイパーリンクを選択することに続いてキーの検出が即座になされる。【選択図】図１
2008301524.tif 000002
【特許請求の範囲】
【請求項１】
無線通信ネットワーク（１０４）において動作するハンドヘルド移動電話装置（２０２）から通信を開始するための方法であって、該方法が以下の工程：
該ハンドヘルド移動電話装置（２０２）に、表示および選択のメカニズム（３１２）及びＳＥＮＤキー（３０８）を有するユーザーインターフェースを提供する工程であって、該表示および選択のメカニズム（３１２）は、スクロールホイール、マウスおよびカーソルメカニズム、およびタッチスクリーン表示メカニズムのうちの１つを有する、工程；
該ハンドヘルド移動電話装置（２０２）の無線受信器（２１２）を通じてメッセージ（５０２）を受信する工程；
該メッセージ（５０２）を該ハンドヘルド移動電話装置（２０２）の視覚ディスプレイ（２２２）に視覚的に表示させる工程であって、該メッセージ（５０２）が電話番号列を有する工程；
該メッセージ（５０２）中の該電話番号列のハイパーリンク（５０６）を、該メッセージ（５０２）が該視覚ディスプレイ（２２２）に視覚的に表示される間、使用するために作る工程；
該メッセージ（５０２）を視覚的に表示する間に、該表示および選択のメカニズム（３１２）を用いて該視覚ディスプレイ（２２２）内の位置マーカーが該ハイパーリンク（５０６）上に置かれたときに、該電話番号列の該ハイパーリンク（５０６）を強調する工程；
該電話番号列と関係する通信を開始するために第１のユーザーインターフェース処理オプションを提供する工程であって、該ハイパーリンク（５０６）が強調されている間に、該表示および選択のメカニズム（３１２）の第１の押圧の検出に応答して、該電話番号列の機能リストを視覚的に表示させることを含み、該機能リストは、テキストメッセージ機能および電話呼び出し機能を有する、工程、
該電話番号列の機能リストが視覚的に表示されている間、該第１の押圧に続いて、該視覚および選択のメカニズム（３１２）の第２の押圧の検出に応答して、
仮に、該リストの中のテキストメッセージ機能が、該表示および選択のメカニズム（３１２）を通して選択されると、該テキストメッセージを電話番号列に対して開始するテキストメッセージ機能を処理する工程、
その代わりに、仮に、該リストの中の電話呼び出し機能が、該表示および選択のメカニズム（３１２）を通して選択されると、該電話番号列へ電話の呼び出しを、無線通信ネットワーク（１０４）を通して開始させる工程、
該電話番号列と関係する通信を開始するために第２のユーザーインターフェース処理オプションを提供する工程であって、該電話番号の該ハイパーリンク（５０６）が強調される間、該ＳＥＮＤキー（３０８）の一回の押圧の検出に応答して、介在する他のキーの押圧を検出することなく、ハイパーリンク（５０６）の強調に続いて、該無線通信ネットワーク（１０４）を通じて該電話番号列に電話呼び出しを開始することを含む工程、
を包含する方法。
【請求項２】
請求項１に記載の方法であって、前記ＳＥＮＤキー（３０８）が前記ユーザーインターフェースの機械的スイッチを有する、方法。
【請求項３】
請求項１に記載の方法であって、前記ＳＥＮＤキー（３０８）が前記ユーザーインターフェースの視覚ディスプレイ（２２２）に表示される視覚的オブジェクトを有する方法。
【請求項４】
請求項１から請求項３のいずれか１項に記載の方法であって、前記メッセージ（５０２）が電子メール（ｅ−ｍａｉｌ）メッセージを有する方法。
【請求項５】
請求項１から請求項３のいずれか１項に記載の方法であって、前記メッセージ（５０２）がウェブページのデータを有する方法。
【請求項６】
請求項１から請求項５のいずれか１項に記載の方法であって、前記表示および選択のメカニズム（３１２）がスクロールホイールを有する方法。
【請求項７】
請求項１から請求項５のいずれか１項に記載の方法であって、前記表示および選択のメカニズム（３１２）が、前記ハンドヘルド移動電話装置（２０２）の一側に配置されたスクロールホイールを有する方法。
【請求項８】
請求項１から請求項５のいずれか１項に記載の方法であって、前記表示および選択のメカニズム（３１２）が、マウスおよびカーソルメカニズムを有する方法。
【請求項９】
請求項１から請求項８のいずれか１項に記載の方法であって、該方法がさらに以下の工程：
通信を開始するために第３のユーザーインターフェース処理オプションを提供する工程を含み、
該工程が、電話用の数字キーをエンドユーザーが選択したことを検出した後に前記ＳＥＮＤキー（３０８）を一回押圧するのに応答して、前記無線通信ネットワーク（１０４）を通じて電話呼び出しを開始することを含み、該電話用のキーがキー０，１，２，３，４，５，６，７，８，９，＊，および＃を有する工程、
を包含する方法。
【請求項１０】
ハンドヘルド移動電話装置（２０２）であって、以下：
１以上のプロセッサ（２３８）；
該１以上のプロセッサ（２３８）に接続される無線送受信器（２１１）であって、該無線送受信器（２１１）は、電話番号列を有するメッセージ（５０２）を受信するために有効である、無線送受信器（２１１）；
１以上のプロセッサ（２３８）及び該無線送受信器（２１１）を有するハウジング（３０２）；
視覚ディスプレイ（２２２）および複数のキー（２３２）を有する該ハウジング上のユーザーインターフェース；
を含み、
該複数のキー（２３２）は、ＳＥＮＤキー（３０８）を有し；
該ユーザーインターフェースは、スクロールホイール、マウスおよびカーソルメカニズム、およびタッチスクリーン表示メカニズムのうちの一つを有する、表示および選択のメカニズム（３１２）を有し、
該視覚ディスプレイ（２２２）は、該メッセージ（５０２）を表示するよう構成され、
該１以上のプロセッサ（２３８）は：
該メッセージ（５０２）中の該電話番号列のハイパーリンク（５０６）を、該メッセージ（５０２）が該視覚ディスプレイ（２２２）に視覚的に表示される間、使用するために作るために；
該メッセージ（５０２）を視覚的に表示する間に、エンドユーザーによって該表示および選択のメカニズム（３１２）を用いて該視覚ディスプレイ（２２２）内の位置マーカーが該ハイパーリンク（５０６）上に置かれたときに、該電話番号列の該ハイパーリンク（５０６）を、強調するために；
該電話番号列と関係する通信を開始するために第１のユーザーインターフェース処理オプションを提供するために操作され、
該ハイパーリンク（５０６）が強調されている間に、該表示および選択のメカニズム（３１２）の第１の押圧の検出に応答して、電話番号列の機能リストを視覚的に表示させる工程であって、該機能リストは、テキストメッセージ機能および電話呼び出し機能を有し、
該機能リストが視覚的に表示されている間、該第１の押圧に続いて、該視覚および選択のメカニズム（３１２）の第２の押圧の検出に応答して、
仮に、該リストの中のテキストメッセージ機能が、該表示および選択のメカニズム（３１２）を通して選択されると、該テキストメッセージを電話番号列に対して開始するテキストメッセージ機能を処理する工程、
その代わりに、仮に、該リストの中の電話呼び出し機能が、該表示および選択のメカニズム（３１２）を通して選択されると、該電話番号列へ電話の呼び出しを、無線通信ネットワーク（１０４）を通して開始させる工程、および
該電話番号列と関係する通信を開始するために第２のユーザーインターフェース処理オプションを提供する工程であって、該電話番号の該ハイパーリンク（５０６）が強調される間、該ＳＥＮＤキー（３０８）の一回の押圧の検出に応答して、介在する他のキーの押圧を検出することなく、ハイパーリンク（５０６）の強調に続いて、該無線通信ネットワーク（１０４）を通じて該電話番号列に電話呼び出しを開始することを含む工程、
を有する、ハンドヘルド移動電話装置（２０２）。
【請求項１１】
請求項１０に記載のハンドヘルド移動電話装置（２０２）であって、前記ＳＥＮＤキーが前記ユーザーインターフェースの機械的スイッチを有するハンドヘルド移動電話装置（２０２）。
【請求項１２】
請求項１０に記載のハンドヘルド移動電話装置（２０２）であって、前記ＳＥＮＤキーが前記ユーザーインターフェースの視覚ディスプレイ（２２２）に表示される視覚的オブジェクトを有するハンドヘルド移動電話装置（２０２）。
【請求項１３】
請求項１０から請求項１２のいずれか１項に記載のハンドヘルド移動電話装置（２０２）であって、前記メッセージ（５０２）が電子メール（ｅ−ｍａｉｌ）メッセージを有するハンドヘルド移動電話装置（２０２）。
【請求項１４】
請求項１０から請求項１２のいずれか１項に記載のハンドヘルド移動電話装置（２０２）であって、前記メッセージ（５０２）がウェブページのデータを有するハンドヘルド移動電話装置（２０２）。
【請求項１５】
請求項１０から請求項１４のいずれか１項に記載のハンドヘルド移動電話装置（２０２）であって、前記表示および選択のメカニズム（３１２）がスクロールホイールを有するハンドヘルド移動電話装置（２０２）。
【請求項１６】
請求項１０から請求項１４のいずれか１項に記載のハンドヘルド移動電話装置（２０２）であって、前記表示および選択のメカニズム（３１２）が、マウスおよびカーソルメカニズムを有するハンドヘルド移動電話装置（２０２）。
【請求項１７】
請求項１０から請求項１６のいずれか１項に記載のハンドヘルド移動電話装置（２０２）であって、該ハンドヘルド移動電話装置がさらに以下：
電話用キー０，１，２，３，４，５，６，７，８，９，＊，および＃を有する、複数のキー（２３２）を有し、
前記１以上のプロセッサ（２３８）がさらに、該電話用キーをエンドユーザーが選択したことを検出した後に前記ＳＥＮＤキー（３０８）を一回押圧するのに応答して、前記無線通信ネットワーク（１０４）を通じて電話呼び出しを開始するために有効である、ハンドヘルド移動電話装置（２０２）。
【請求項１８】
移動局からの電話呼び出しを開始するためのコンピュータプログラム製品であって、該コンピュータプログラム製品が、ストレージメディアおよび該ストレージメディアに記憶されるコンピュータ指示を有し、該コンピュータ指示が、該プログラムがコンピュータ上で実行される場合、請求項１から請求項９のうちいずれか１項に記載の方法のすべての工程を実行する１以上のプロセッサによって実行可能であるコンピュータプログラム製品。
【発明の詳細な説明】
【技術分野】
【０００１】
本発明は概して、無線通信ネットワークにおいて操作する移動局に関し、および特に、移動局から通話を始めるためのユーザーインターフェースの方法および装置に関する。
【背景技術】
【０００２】
携帯電話または移動電子メール装置のような移動通信装置はますますユビキタスになっている。現在ある多くの移動装置は、ユーザーの情報の入出力のために使いやすいユーザーインターフェースを提供する。例えば、移動装置は双方向のグラフィカルユーザインターフェース（ＧＵＩ）を移動装置の主要ないくらかのアプリケーション（例えば、電子メールまたはウェブをブラウズするアプリケーション）に提供し得る。しかしながら従来では、このユーザーインターフェースは、音声電話技術およびデータ／テキストのアプリケーションの双方に対し適切なインターフェースを提供し得ない。混乱操作を最小化するために、音声およびデータ／テキストのアプリケーションの双方のユーザーインターフェースにおいて、一貫性を提供する必要性がしばしばあった。しかしながら、データ／テキストのアプリケーションは概して音声アプリケーションよりも複雑である。
【発明の開示】
【発明が解決しようとする課題】
【０００３】
従って、従来技術の欠点を克服するために、便利なおよび使いやすい通話を開始するための移動装置のユーザーインターフェースを単純化することが都合がよい。
【０００４】
次に示す引例は、本出願で記載されるように、電話番号のハイパーリンクが表示／選択のメカニズムを用いて選択される後に、ＳＥＮＤキーの一回の作動にあわせて、電話の開始を教示または示唆していない。欧州特許出願番号ＥＰ１１９３６２１Ａは、例えば、電話番号のハイパーリンクを作るために電子テキスト中の電話番号を識別することを教示する。しかしながら、この文献は、ハイパーリンクを用いて即座に電話を開始することに対して、具体的にどのようなユーザーインターフェース技術が有効であるかについては言及していない。国際公開番号ＷＯ０１／２２６８０Ａ２は、ダイヤルするために強調および選択され得るテキストに対して受信されるＳＭＳメッセージの解析について教示する。電話番号が選択される場合、この文献は示される電話番号に電話をかけるためのアプリケーションが実行され得ることを教示する。しかしながら、やはり、この文献は、どのように電話番号が選択されるかおよび電話を即座に開始するために具体的にどのようなインターフェース技術が有効であるかについては記載してない。米国特許公開番号ＵＳ２００２／０１９７９８１Ａ１では、電話番号は呼び出されまたは記憶され得るＨＴＭＬデータから引き出され得る。電話番号のハイパーリンクを用いて即座に電話を開始する技術は示唆していない。国際公開番号ＷＯ９８／３５４８１では、電話番号は、ダイヤルする目的で分散された電話番号登録簿から検索される。国際公開番号ＷＯ０２／３５８０８Ａ１では、電話番号はウェブページ、電子メール、ＳＭＳにおいて受け取られ得、および電話を掛けるためにまたは記憶されるために強調されまたは使用され得る。この文献は従来の携帯電話インターフェースの使用に焦点をあてていない。米国特許番号６，１９２，２５１Ｂ１は単に、回転押スイッチを有する移動通信装置を使用することを教示しているにすぎない。
【課題を解決するための手段】
【０００５】
（要旨）
本発明のうちの１つの例示的な実施形態は、一以上のプロセッサ、一以上のプロセッサに結合した無線送受信器を有する移動局、および画像表示および複数のキーを有するユーザーインターフェースを含む。この無線送受信器は、例えば電子メールメッセージのようなメッセージを受信するのに有効で、このメッセージは電話番号列を有する。このメッセージはディスプレイに視覚的に表示される場合、メッセージ中に電話番号列のハイパーリンクが作られる。電話番号列に対するハイパーリンクは、メッセージを視覚的に表示する間、エンドユーザーによって選択される場合に強調される。
【０００６】
ハイパーリンクが選択される間、ユーザーインターフェースのキーを１回押すことにあわせて、電話番号列に対する通話が無線通信ネットワークを通して開始される。途中で他のキーを押すことなく、ハイパーリンクの選択に続いてすぐにキーを一回押し得る。さらなる通話開始技術は、さらに柔軟なおよび使いやすいインターフェースを提供するためにこの技術を組み合わせて提供される。
【発明を実施するための最良の形態】
【０００７】
本技術の１つの例示的な実施形態は、１以上のプロセッサを有する移動局、１以上のプロセッサに連結された無線送受信器、およびディスプレイおよび複数のキーを有するユーザーインターフェースを含む。無線送受信器は、例えば電話番号列を有する電子メールのメッセージのようなメッセージを受信する有効である。このメッセージはディスプレイに視覚的に表示される場合、メッセージ中の電話番号列のハイパーリンクが作られる。電話番号列のハイパーリンクは、そのメッセージを視覚的に表示する間にエンドユーザーによって選択される場合、強調される。そのハイパーリンクが選択される間にユーザーインターフェースのキーを一回押すことに合わせて、電話番号列への通話が無線通信ネットワークを通して開始される。途中で他のキーを押すことなくハイパーリンクを選択し、すぐにキーを一回押し得る。更なる通話開始技術は、柔軟なおよび使いやすいインターフェースを提供するために、この技術を組み合わせて提供される。
【０００８】
図１は通信システム１００のブロックダイアグラムであり、無線通信ネットワーク１０４を通して通信する移動局１０２を含む。図１の実施形態では、無線ネットワーク１０４がＧＰＲＳ（Ｇｅｎｅｒａｌ  Ｐａｃｋｅｔ  Ｒａｄｉｏ  Ｓｅｒｖｉｃｅ）技術およびＧＳＭ（Ｇｌｏｂａｌ  Ｓｙｓｔｅｍｓ  ｆｏｒ  Ｍｏｂｉｌｅ）技術に基づいて構成される；しかしながら、ネットワーク通信プロトコルのいずれか適切なタイプが有効活用され得る。例えば、ネットワークはＣＤＭＡ技術（ｃｏｄｅ  ｄｉｖｉｓｉｏｎ  ｍｕｌｔｉｐｌｅ  ａｃｃｅｓｓ）または他の適切な技術に依存し得る。他の例としては、ネットワークが内蔵音声およびデータサービスを提供する大容量デジタル基盤無線システムであるｉＤＥＮ（Ｉｎｔｅｇｒａｔｅｄ  Ｄｉｓｐａｔｃｈ  Ｅｎｈａｎｃｅｄ  Ｎｅｔｗｏｒｋ）に依存し得る。
【０００９】
移動局１０２は移動通信装置の１つのタイプであるが、これはディスプレイ１１２、キーボード１１４、および可能であれば１以上の予備のユーザーインターフェース（ＵＩ）１１６を有することが望ましく、これらのそれぞれはコントローラー１０６に連結される。さらに、コントローラー１０６は無線周波数（ＲＦ）送受信器回路１０８およびアンテナ１１０に連結される。典型的には、コントローラー１０６は中央処理装置（ＣＰＵ）として実行され、これはメモリ構成要素（示されていない）内にあるオペレーションシステムのソフトウェアを実行する。コントローラー１０６は通常、移動局１０２の全体的な操作を制御するのに対し、通信機能に関する信号処理操作は典型的にはＲＦ送受信器回路１０８において実行される。コントローラー１０６は受信情報を表示し、情報、ユーザー入力、およびその他を記憶するためにディスプレイ装置１１２に接続する。電話型のキーパッドまたはすべてアルファベットのキーボードであり得るキーボード１１４は通常、移動局１０２にあるストレージにデータを入力するために提供され、このデータはネットワーク１０４との通信のための情報、電話を掛けるための電話番号、移動局１０２で実行されるコマンド、および可能であれば他のまたは異なるユーザー入力である。
【００１０】
移動局１０２はアンテナ１１０を通して無線リンク上でネットワーク１０４と通信信号を送受信する。ＲＦ送受信器回路１０８は基地局１１８および基地局コントローラー１２０の機能と同様な機能を実行し、この機能は、例えば変調／復調および可能であればエンコード／デコードおよび暗号／復号を含む。ＲＦ送受信器回路１０８は基地局コントローラー１２０によって実行される機能に加えて一定の機能を実行し得る。当業者に明らかなように、ＲＦ送受信器回路１０８は、特に無線ネットワークつまり移動局１０２が操作し得るネットワークに適応される。
【００１１】
移動局１０２は１以上の再充電可能なバッテリー１３２を収容するバッテリーインターフェース１３４を有する。バッテリー１３２は移動局１０２の中にある電子回路に電力を供給し、バッテリーインターフェース１３２はバッテリー１３２と機械的および電気的接続を提供する。バッテリーインターフェース１３２は、この装置に電力を調整するレギュレター１３６に接続される。移動局１０２が完全に有効である場合、ＲＦ送受信器回路１０８のＲＦ送信器は概してキーされ、またはネットワークに送信するときのみオンにされ、および、そうでなければリソースを保存するためにオフにされる。同様に、設定時間周期の間に信号または情報（可能な限り）を受信する必要があるまで、電力を保存するためにＲＦ送受信器回路１０８のＲＦ受信器が概して定期的にオフになる
移動局１０２は加入者識別モジュール（ＳＩＭ）１４０を用いて操作し、これはＳＩＭインターフェース１４２で移動局１０２に接続または挿入される。ＳＩＭ１４０は、他のものとの間で移動局１０２のエンドユーザー（または加入者）を識別するためにおよびその装置を個別化するために使用される従来の「ｓｍａｒｔ  ｃａｒｄ」の１つのタイプである。ＳＩＭ１４０なしでは、移動局ターミナルは無線ネットワーク１０４を通して通信するために完全に有効というわけではない。移動局１０２にＳＩＭ１４０を挿入することによって、エンドユーザーは個々が加入したサービスのいずれかまたはすべてにアクセスし得る。ＳＩＭ１４０は概してプロセッサおよび記憶情報のメモリを有する。ＳＩＭ１４０はＳＩＭインターフェース１４２に接続されるので、通信回線１４４を通してコントローラー１０６に接続される。加入サービスを識別するために、ＳＩＭ１４０はＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）のようないくらかのユーザーパラメータを有する。ＳＩＭ１４０を使用する利点はエンドユーザーが必ずしもいずれかの単一の物理的移動局によって制限される必要がないということである。ＳＩＭ１４０は、同様に移動局に対するさらなるユーザー情報を記憶し得、メモ帳（またはカレンダー）情報および新しいコール情報を有する。
【００１２】
移動局１０２は、例えばデータ通信装置、携帯電話、データおよび音声通信能力を有するマルチ機能通信装置、無線通信を可能にする携帯情報端末（ＰＤＡ）、または内部モデムを内蔵するコンピュータのような単一装置から構成され得る。もしくは、移動局１０２は複数の分離構成要素を構成するマルチモジュール装置であり得、限定するものではないが、無線モデムに接続されるコンピュータまたは他の装置を含む。特に、例えば、図１の移動局のブロックダイアグラムにおいては、ＲＦ送受信器回路１０８およびアンテナ１１０は、ラップトップコンピュータ上のポートに挿入され得る無線モデム装置として実行され得る。この場合、ラップトップコンピュータはディスプレイ１１２、キーボード１１４、１以上の予備のＵＩ１１６、およびコンピュータのＣＰＵとして具現化されるコントローラー１０６を有する。特に、無線通信の能力を通常持たないコンピュータまたは他の装置は、例えば上述したもののうちの１つのような単一ユニット装置のＲＦ送受信器回路１０８およびアンテナ１１０に接続し、および有効にその制御をするように適応され得る。このような移動局１０２は、図２の移動局２０２に関して後に記載するように、さらに特別な実行をし得る。
【００１３】
移動局１０２は無線通信ネットワーク１０４の中でおよびそのネットワークを通して通信する。図１の実施形態では、無線ネットワーク１０４はＧＰＲＳ（Ｇｅｎｅｒａｌ  Ｐａｃｋｅｔ  Ｒａｄｉｏ  Ｓｅｒｖｉｃｅ）技術およびＧＳＭ（Ｇｌｏｂａｌ  Ｓｙｓｔｅｍｓ  ｆｏｒ  Ｍｏｂｉｌｅ）技術に基づいて構成される。無線ネットワーク１０４は、関連するタワー局１１８を備える基地局コントローラー（ＢＳＣ）１２０、移動交換局（ＭＳＣ）１２２、ＨＬＲ（Ｈｏｍｅ  Ｌｏｃａｔｉｏｎ  Ｒｅｇｉｓｔｅｒ）１３２、ＳＧＳＮ（Ｓｅｒｖｉｎｇ  ＧＰＲＳ（Ｇｅｎｅｒａｌ  Ｐａｃｋｅｔ  Ｒａｄｉｏ  Ｓｅｒｖｉｃｅ）  Ｓｕｐｐｏｒｔ  Ｎｏｄｅ）１２６およびＧＧＳＮ（Ｇａｔｅｗａｙ  ＧＰＲＳ  Ｓｕｐｐｏｒｔ  Ｎｏｄｅ）１２８を有する。ＭＳＣ１２２はＢＳＣ１２０および、ＰＳＴＮ（Ｐｕｂｌｉｃ  Ｓｗｉｔｃｈｅｄ  Ｔｅｌｅｐｈｏｎｅ  Ｎｅｔｗｏｒｋ）１２４のような陸上通信ネットワークに連結される。ＳＧＳＮ１２６はＢＳＣ１２０およびＧＧＳＮ１２８に連結され、さらに公用のまたは私用のデータネットワーク１３０（例えば、インターネット）にも連結される。ＨＬＲ１３２はＭＳＣ１２２、ＳＧＳＮ１２６およびＧＧＳＮ１２８に連結される。
【００１４】
局１１８は送信局であり、および局１１８およびＢＳＣ１２０はともに送信装置として明細書中に言及される。この固定された送信装置は共通に”ｃｅｌｌ（セル）”と呼ばれる固有の受信可能範囲を無線通信範囲に提供する。送信装置は局１１８を通してそのセル範囲内で移動局へ通信信号を送信し、および移動局から通信信号を受信する。送受信装置は通常、例えば信号のモジュレーションおよび可能であれば符号化および／または暗号化のような機能を実行し、この信号はそのコントローラーの制御の下で、固有の、または通常は設定された、通信プロトコルおよびパラメータに基づいて移動局へ送信される。同様に、この送信装置はそのセル範囲内の移動局１０２から受信された、いずれの通信信号をも必要であれば、モジュレートおよび、可能であれば、デコード、復号をする。通信プロトコルおよびパラメータは異なるネットワーク相互間で変化し得る。例えば、一つのネットワークは他のネットワークとは異なるモジュレーションスキームを用い、および他のネットワークとは異なる周波数で操作し得る。
【００１５】
図１中の通信システム１００において示される無線リンクは一以上の異なるチャネル、典型的には異なる無線周波数（ＲＦ）チャネル、および無線ネットワーク１０４および移動局１０２相互間で使用される関連するプロトコルを示す。当業者には明らかであるが、現実の無線ネットワークは何百というセルを有し得、それぞれは局１１８（すなわち、または局セクター）によって供され、ネットワーク範囲の要求される全体範囲に依存する。すべての付属の構成要素はマルチスイッチおよびルーター（示されていない）によって接続され得、マルチネットワークコントローラーによって制御され得る。
【００１６】
ネットワーク操作器を用いて登録された移動局１０２のすべてに対して、テンポラリーデータ（例えば、移動局１０２の現在の位置）と同様に、パーマメントデータ（例えば、移動局１０２ユーザーのプロフィール）、はＨＬＲ１３２に記憶される。移動局１０２への音声コールの場合、ＨＬＲ１３２が移動局１０２の現在の位置を決定するために照会される。ＭＳＣ１２２のＶＬＲ（Ｖｉｓｉｔｏｒ  Ｌｏｃａｔｉｏｎ  Ｒｅｇｉｓｔｅｒ）は位置範囲のグループを担当し、現在の担当の範囲であるこれら移動局のデータを記憶する。これは、高速アクセスに対してＨＬＲ１３２からＶＬＲへ送信された移動局のパーマネントデータの一部を有する。しかしながら、さらに、ＭＳＣ１２２のＶＬＲは、例えばテンポラリー識別のようなローカルデータも割り当て記憶し得る。随意的に、ＭＳＣ１２２のＶＬＲは、ＧＰＲＳおよびｎｏｎ−ＧＰＲＳのサービスおよび機能のさらに効率的な調整のために機能強化され得る（例えば、ＳＧＳＮ１２６を通してより効率的に実行され得る回路切り替えコールとして呼掛けること、および組み合わせられたＧＰＲＳおよびｎｏｎ−ＧＰＲＳ位置を更新すること）。
【００１７】
ＳＧＳＮ（Ｓｅｒｖｉｎｇ  ＧＰＲＳ  Ｓｕｐｐｏｒｔ  Ｎｏｄｅ）１２６は、ＭＳＣ１２２と同じ階層であり、移動局の個々の位置のトラックを保持する。さらに、ＳＧＳＮ１２６は安全機能を実行し、コントロールにアクセスする。ＧＧＳＮ（Ｇａｔｅｗａｙ  ＧＰＲＳ  Ｓｕｐｐｏｒｔ  Ｎｏｄｅ）１２８は外部のパケット変換ネットワークと相互作用し、ＩＰに基づくＧＰＲＳバックボーンのネットワークを通して複数のＳＧＳＮ（例えば、ＳＧＳＮ１２６）に接続される。ＳＧＳＮ１２６は認証を実行し、および存在するＧＳＭにあるアルゴリズム、キーおよび基準に基づくゼロ設定手順を実行する。従来の操作では、セルの選択は、移動局１０２によって又は固有のセルを選択するために移動局１０２を指示する固定送受信装置によって、自動的に実行され得る。移動局１０２は、ルーティング範囲として知られる他のセルまたはセルのグループを再選択するときを無線ネットワーク１０４に伝える。
【００１８】
ＧＰＲＳサービスにアクセスするために、移動局１０２は第一に、ＧＰＲＳ「添付」として知られるものを実行することによって、自身の存在を無線ネットワーク１０４に知られるようにする。この操作は、移動局１０２およびＳＧＳＮ１２６相互間の論理リンクを設立し、移動局１０２が、例えばＳＧＳＮを通したページ、入力データの通知、またはＧＰＲＳ上のＳＭＳメッセージを受信できるようにする。ＧＰＲＳデータを送受信するために、移動局１０２は、使いたいパケットデータのアドレスを始動させるのを手伝う。この操作によって移動局１０２はＧＧＳＮ１２８に知られるようにする；その後、外部データネットワークとの相互作用が開始し得る。ユーザデータは移動局１０２および外部データネットワーク相互間で気づかれることなく送信され、これは、例えばカプセル化およびトンネリングを使用して送信される。データパケットはＧＰＲＳの特別なプロトコル情報を備え、移動局１０２およびＧＧＳＮ１２８相互間で送信される。
【００１９】
図２は好ましい移動局２０２の詳細なブロックダイアグラムである。移動局２０２は、他のコンピュータシステムと通信する能力を有し、少なくとも音声および高度なデータ通信能力を有する双方向通信装置であることが望ましい。移動局２０２によって提供される機能基づいて、これはデータメッセージ装置、双方向ポケットベル、データメッセージ能力を有する携帯電話、無線インターネット装置、またはデータ通信装置（通話機能はあってもなくてもよい）として言及される。移動局２０２は、その地理的な可能受信範囲内で、複数の固定送受信局２００のうちいずれか一つと通信し得る。
【００２０】
移動局２０２が通常内蔵する通信システム２１１は，受信器２１２、送受信器２１４、および関連構成要素、例えば、一以上の（好ましくは内蔵され、または内部の）アンテナ要素２１６および２１８、局部発信器（ＬＯｓ）２１３および例えば、デジタル信号処理器（ＤＳＰ）２２０のような処理モジュールを有する。通信システム２１１は、図１に示されたＲＦ送受信器回路１０８およびアンテナ１１０と類似する。通信分野の当業者には明らかであるが、通信サブシステム２１１の特別な設計は、移動局２０２が処理しようとする通信ネットワークに依存する。
【００２１】
移動局２０２は、要求されたネットワークの登録または起動の手順を完了した後、ネットワーク上の通信信号を送受信し得る。このネットワークを通してアンテナ２１６によって受信された信号は受信機２１２に入力され、この受信機は、例えば信号増幅、周波数変換、フィルタリング、チャネル選択などの共通の受信機能を実行し得、この機能は、図２に示された例では、アナログ−デジタル（Ａ／Ｄ）変換である。受信信号のＡ／Ｄ変換は、例えば、ＤＳＰ２２０において、モジュレーションおよびデコードのようなさらに複雑な通信機能が実行されることを許容する。同じような方法で、送信信号は、例えばＤＳＰ２２０によって処理され、これはモジュレーションおよび復号を含む。これらＤＳＰ処理信号は、アンテナ２１８を通して通信ネットワーク上でデジタル−アナログ（Ｄ／Ａ）変換、周波数変換、フィルタリング、増幅および送信としての送受信器２１４に入力される。ＤＳＰ２２０は通信信号を処理するだけでなく、受信器および送受信器に制御を提供する。例えば、受信器２１２および送受信器２１４において通信信号に適用されたゲインは、ＤＳＰ２２０において実行されたオートゲインコントロールアルゴリズムを通して適切に制御され得る。
【００２２】
ネットワークアクセスは移動局２０２の加入者およびユーザーに関連し、それゆえ移動局２０２は、加入者識別モジュール（ＳＩＭ）つまり「ＳＩＭ」カード２６２がネットワークにおいて操作するためにＳＩＭインターフェース２６４に挿入されることを要求する。ＳＩＭ２６２は図１に関して記載されるこれらの特徴を含む。移動局２０２はバッテリー電源装置であって、さらに一以上の再充電可能なバッテリー２５６を収容するためのバッテリーインターフェース２５４を有する。このようなバッテリー２５６は、移動局２０２における全てではないがほとんどの電気回路に電源を供給し、およびバッテリーインターフェース２５４はバッテリーと機械的および電気的な接続を提供する。このバッテリーインターフェース２５４は、すべての回路に対して電力Ｖ＋を提供するレギュレター（示されていない）と連結される。
【００２３】
移動局２０２は、自身の全体的な操作を制御するマイクロプロセッサ２３８（図１のコントローラー１０６の一つの実行）を有する。少なくともデータおよび音声通信を有する通信機能が通信システム２１１によって達成される。さらに、マイクロプロセッサ２３８は付加的な装置のサブシステムと相互作用し、例えば、このサブシステムは、ディスプレイ２２２、フラッシュメモリ２２４、ランダムアクセスメモリ（ＲＡＭ）２２６、補助入力／出力（ＩＯ）サブシステム２２８、シリアルポート２３０、キーボード２３２、スピーカー２３４、マイクロホン２３６、短期間通信サブシステム２４０および２４２で一般的に設計されたいずれか他の装置のサブシステムである。図２に示されるサブシステムの一部は通信関連の機能を実行し、ここで他のサブシステムは「常駐」つまりオン−デバイス機能を提供し得る。特に、例えばキーボード２３２およびディスプレイ２２２のような一部のサブシステムは、通信ネットワーク上で送信するためのテキストメッセージの入力のような通信関連の機能、および計算器またはタスクリストのようなデバイス−レジデント機能の両方のために使用され得る。マイクロプロセッサ２３８によって使用されるオペレーションシステムソフトウェアはフラッシュメモリ２２４のような永続的記憶において記憶されることが望ましく、代替的にこれは、読み取り専用のメモリ（ＲＯＭ）もしくは同ストレージ要素（示されていない）であ得る。当業者に理解されているように、オペレーティングシステム、特別な装置のアプリケーション、またはそれらの一部は、一時的にＲＡＭ２２６のような揮発性の記憶にロードされ得る。
【００２４】
オペレーションシステムの機能に加えて、マイクロプロセッサ２３８は移動局２０２上のソフトウェアアプリケーションの実行を可能にするのが望ましい。少なくともデータおよび音声通信アプリケーションを有する基盤装置操作を制御するアプリケーションの規定の設定が、製造中に移動局２０２上に通常インストールされる。さらに、これは本出願のユーザーのインターフェース技術を実行するためのソフトウェアを有する。移動局２０２上にロードされる好ましいアプリケーションは個人情報管理（ＰＩＭ）アプリケーションであり得、これはカレンダーのデータと同様に電子メールメッセージおよび音声メッセージに関するデータアイテムを編成し、管理する能力を有する。当然のことながら、一以上のメモリ記憶はＰＩＭデータおよび他の情報の記憶を促進するために移動局２０２およびＳＩＭ２６２上で利用できる。
【００２５】
ＰＩＭアプリケーションは無線ネットワークを通してデータアイテムを送受信する能力を有するのが望ましい。好ましい実施形態では、ＰＩＭデータアイテムは無線ネットワークを通して結合され、同期されおよび更新される。そのとき、移動局のユーザーの対応するデータアイテムはホストコンピュータシステムに記憶されおよび／または関連付けられ、そこではこのようなアイテムに関して移動局２０２上にミラーホストコンピュータを作る。これは、ホストコンピュータシステムが移動局のユーザーオフィスコンピュータシステムであるところで特に利益がある。さらに、付加的なアプリケーションはネットワーク、予備Ｉ／Ｏサブシステム２２８、シリアルポート２３０、小範囲通信サブシステム２４０、または他のいずれかの適切なサブシステム２４２によって移動局２０２上にロードされ得、およびＲＡＭ２２６中のユーザーまたは好ましくはマイクロプロセッサ２３８による実行のための不揮発性の記憶（示されていない）によってインストールされ得る。
【００２６】
データ通信モードにおいて、例えばテキストメッセージ（例えば、ショートメッセージサービスまたはＳＭＳメッセージ）、電子メールメッセージ、またはダウンロードされたウェブページのような受信信号は通信サブシステム２１１によって処理され、およびマイクロプロセッサ２３８に入力される。さらに、マイクロプロセッサ２３８はディスプレイ２２２または代替的には予備Ｉ／Ｏ装置２２８へ出力のために信号を処理するのが望ましい。さらに、移動局２０２のユーザーは、例えばディスプレイ２２２およびもしくは予備のＩ／Ｏ装置２２８と連動するキーボード２３２を使用して、電子メールメッセージのようなデータアイテムを構成し得る。キーボード２３２は完全なアルファベットキーボードおよび／または電話型キーパッドであることが望ましい。これら構成アイテムは通信サブシステム２１１を通して通信ネットワーク上で送信され得る。
【００２７】
音声通信に対しても、移動局２０２の全体操作は、受信信号がスピーカー２３４へ出力され、通信信号がマイクロホン２３６によって生じるという点を除いては、実質的に同じである。例えば、音声メッセージ録音サブシステムのような代替的な音声またはＩ／Ｏサブシステムは移動局２０２上でも実行され得る。音声またはオーディオ信号出力はスピーカー２３４を通して第一に実行されるのが望ましいが、ディスプレイ２２２はさらに、例えば発呼者の識別表示、音声コール間隔、または情報に関する音声コールを提供するために使用され得る。
【００２８】
図２中のシリアルポート２３０は通常、ユーザーのデスクトップコンピュータとの同期が要求され、たとえ任意であるとしても要求構成要素である携帯情報端末（ＰＤＡ）型通信装置において実行される。シリアルポート２３０によってユーザーは外部装置またはソフトウェアアプリケーションを通して選択を設定でき、およびこのシリアルポート２３０は、無線通信ネットワーク以外によって移動局２０２へ情報またはソフトウェアダウンロードを提供することにより、移動局２０２の能力を広げる。代替的なダウンロードパスは、例えば、直接移動局２０２上の暗号キーをロードするために使用され得、したがって、そこで安全装置通信を提供するために信頼がありおよび信用のある接続になり得る。
【００２９】
図２の小区間通信サブシステム２４０は、移動局２０２および異なるシステムまたは装置相互間の通信を提供し、付加的で任意の構成要素であり、これは必ずしも同じ装置である必要はない。例えば、サブシステム２４０は、同様に可能なシステムおよび装置を有する通信を提供するために、赤外線装置および関連する回路および構成要素、つまりＢｌｕｅｔｏｏｔｈＴＭ通信モジュールを有し得る。ＢｌｕｅｔｏｏｔｈＴＭはＢｌｕｅｔｏｏｔｈ  ＳＩＧ株式会社の登録商標である。
【００３０】
図３は、本ユーザーインターフェース技術に対して使用され得る例示的な移動局２０２の正面図である。図３の移動局２０２は、図１−２に関して示されおよび記載される電子回路および構成要素を含むハウジング３０２を有する。移動局２０２のハウジング３０２は、概して図２に関して先に示されおよび記載されるように、ディスプレイ２２２および複数のキーを有するキーパッド２３２を有するユーザーインターフェースを含む。図５−８に関してさらに詳細に明らかなように、ディスプレイ２２２はエンドユーザーに対して情報およびメッセージを視覚的に表示するために使用される。図３に示されるように、キーパッド２３２のうち複数のキーは電話用の複数の数字キー（０，１，２，３，４，５，６，７，８，９，＊，および＃）を含み、ＳＥＮＤキー３０８（図中では受話器のアイコンが記入されている）およびＥＮＤキー３１０（図中では、電話を切ったときの受話器のアイコンが記入されている）を含むコントロールキーも同様に含む。ＳＥＮＤおよびＥＮＤキー３０８および３１０は移動局のスイッチ入力で検出可能である移動局の機械的なスイッチである。概して、ＳＥＮＤキー３０８は無線ネットワークを通して移動局２０２から電話を開始するためにエンドユーザーによって使用され、ＥＮＤキー３１０はエンドユーザーによって電話を終えるために使用される。ＳＥＮＤおよびＥＮＤキー３０８および３１０の双方がハウジング３０２の前面で実行されおよび露出されることに注目されたい。代替的には、ＳＥＮＤキー３０８は、ＥＮＴＥＲキー、ＯＫキー、ＳＴＡＲＴキー、ＡＣＣＥＰＴキー等として設計され得る；同様にＥＮＤキー３１０は、代替的にはＳＴＯＰキー、ＮＯキー、ＤＥＣＬＩＮＥキー等として設計され得る。代替的には、ディスプレイ２２２がタッチスクリーンディスプレイまたは他の同じ様な入力装置である場合、ＳＥＮＤキー３０８およびＥＮＤキー３１０がディスプレイ２２２に視覚的に表示されおよびタッチ検索可能な視覚的オブジェクトになり得ることに注目されたい。
【００３１】
比較的大きなサイズの視覚表示された情報および縮小サイズのディスプレイ２２２が与えられる場合、情報およびメッセージは典型的には、いずれの瞬間においてもディスプレイ２２２の限られた表示の中に部分的にのみ存在する。このように、さらに図３中の移動局２０２はディスプレイ２２２を使用するための情報を表示／選択する手段を含む。本実施形態では、移動局２０２の情報を表示／選択する手段はスクロールホイール３１２である。スクロールホイール３１２はハウジング３０２の右側面上に配置される。スクロールホイール３１２は一般的に、ハウジング３０２の固定軸周りに回転可能である円形ディスクを含み、エンドユーザーの人指し指にまたは親指によって回転され得る。図３中に示されるスクロールホイール３１２の回転矢印３１４によって示される方向を注目されたい。情報またはメッセージが部分的に表示されている場合、スクロールホイール３１２の上方回転により、ディスプレイ２２２は情報またはメッセージの上限の表示を見せるように上方にスクロールする。同様に、スクロールホイール３１２の下方回転により、ディスプレイ２２２が情報またはメッセージの下限の表示を見せるように下方にスクロールする。さらに、スクロールホイール３１２が、エンドユーザーが情報選択のためにハウジング３１２に対して内側にスクロールホイール３１２を押すことができるように、固定直線軸に沿って接続されることに注目されたい（例えば、エンドユーザーの人指し指または親指を用いて）。図３に示される、スクロールホイール３１２の矢印３１６によって示される方向を注目されたい。
【００３２】
スクロールホイール３１２に対するさらに詳細な手段は図９および図１０に関してここで記載される。図９−１０のスクロールホイール３１２はボディー部品９１０に接続され、回転可能に示される。ボディー部品９１０はスライド部品９２０に接続され得またはその一部になり得る。スライド部品９２０は、スクロールホイール３１２およびボディー部品９１０の全体が携帯用装置に関して自由に横方向３１６へ動くことを許容する。側方のスクロールホイールの動き３１６はスクロールホイール３１２の回転軸に対して垂直な平面に沿った動きとして定義される。この側方の動き３１２を制御するために、スライド部品９２０はカム９３１を有するカム手段９３０のような制御手段に接続され得、または代替的には、レベル手段、ソレノイド手段、またはその他の動作手段に接続される。カム手段９３０は、スクロールホイール３１２の側方位置の制御を担うカムコントローラー９４０（図１０のみ）に接続される。カム手段９３０およびスライド部品９２０に接続されるカム９３１が動く場合、スクロールホイール３１２およびボディー部品９１０はそれにしたがって側方を動く。このようなハウジングに対し内側への側方運動は、スイッチ（スクロールホイールキーの作動または押し込み）入力として移動局のプロセッサによって検出可能である。
【００３３】
図３、図９および図１０中のスクロールホイール３１２は視覚的に表示された情報を表示しおよび選択する場合の使用に対し好ましい手段として示されおよび記載されているが、ふさわしい表示／選択の手段のいずれもが、記載された本ユーザーインターフェース技術に活用され得る。これは例えば、ＵＰキーおよびＤＯＷＮキー、マウスおよびカーソル手段、またはタッチスクリーン表示手段などである。
【００３４】
図４は本出願の移動局から電話を開始するユーザーインターフェース方法を記載するフローチャートである。この方法は、図１−３に関して記載されるような無線ネットワークにおける移動局操作の使用とともに実行され得る。図４のフローチャートとの組合せにおいて、図５−１０における移動局の視覚的例示を言及する。移動局のコンピュータプログラム製品は、この方法の記載された論理に基づいて書き込まれるストレージメディア（メモリ、フロッピー（登録商標）ディスクまたはＣＤ−ＲＯＭ）上に記憶されるコンピュータ指示を含み得る。
【００３５】
図４のスタートブロック４０２（「ｓｔａｒｔ  Ａ」）から初め、メッセージは移動局の無線受信器を通して受信され、ディスプレイ中に表示される（図４中の工程４０４）。このメッセージは、例えば電子メール（ｅ−ｍａｉｌ）のメッセージまたはウェブページの情報であり得る。このメッセージは、従来の電話番号の形式における電話番号列を含み得る。例えば、電話番号列は「８８８−２１２１」であり得、これはＵ．Ｓまたはカナダに対して適切な電話番号形式である。この電話番号列はメッセージの著者によって入力される情報またはメッセージの一部であり、および典型的には、このメッセージの最後またはその最後周辺に位置する。このメッセージはディスプレイの、以前に受信された複数のメッセージからエンドユーザーによって選択されることに注目されたい。このメッセージが視覚的に表示される場合、移動局のプロセッサはメッセージ中の電話番号列のいずれかを識別するために走査する（図４の工程４０６）。電話番号列がメッセージ中において識別される場合、プロセッサは電話番号列に対しハイパーリンクをつくる（図４の工程４０８）。電話番号列のハイパーリンクは、例えば視覚的に表示されるメッセージにおいて、適切に識別され、これは例えば、情報を視覚的に表示する際に電話番号列に下線を引き、マーキングし、またはそうでなければ強調することによってなされる。
【００３６】
図４中の工程４０８での移動局の例は図５に示される。電子メールであるメッセージ５０２は移動局２０２のディスプレイ２２２中に表示される。このメッセージ５０２は、その最下に提供される電話番号「８８８−２１２１」を有する「Ｆｒｅｄ」からｊｏｅ＠ｒｉｍ．ｃｏｍ（移動局２０２のエンドユーザー）への送信として示される。このメッセージ５０２の著者（すなわち、Ｆｒｅｄ）は、彼のメッセージのテキストの一部として電話番号を入力した。「Ｆｒｅｄ」によるメッセージ５０２を表示することにあわせて、ハイパーリンク５０６は電話番号列「８８８−２１２１」に対して作られ、これは電話番号列に下線を引くことによって示される。カーソルつまり位置マーカー５０４はメッセージ５０２中の選択された位置に提供される。図５に示されるように、カーソルつまり位置マーカー５０４は受取人の電子メールアドレスｊｏｅ＠ｒｉｍ．ｃｏｍの最後に残される。
【００３７】
メッセージ５０２が表示される場合、エンドユーザーは移動局２０２の適切な表示／選択の手段を使用してメッセージ５０２をスクロールし得る。このようなスクロールはカーソルつまり位置マーカー５０４をメッセージ５０２範囲内の異なる位置へ動かす。好ましくは、エンドユーザーによって使用される表示／選択の手段は移動局のハウジングの側面上に位置されるスクロールホイールである（例えば、図３、９および１０に関する先の説明を参照）。図４のフローチャートに戻って言及すると、カーソルつまり位置マーカーが電話番号列のハイパーリンク上にエンドユーザーによって位置される場合（図４中の工程４１０）、プロセッサによりこのハイパーリンクはエンドユーザーによりディスプレイにおいて強調され、マークされ、またはそうでなければ強調される（図４中の工程４１２）。図４中の工程４１２での移動局の続く例は図６に示される。ハイパーリンク５０６は、スクロールホイール３１２を使用してこの情報をエンドユーザーが選択するのにあわせて、強調されまたはマークされるとして示される。
【００３８】
図４のフローチャートに戻って言及すると、このハイパーリンクが選択される間に（強調される）（図４中工程４１４）移動局のスクロールホイールが側方に押される場合、電話番号列の機能リストがメッセージの手前に視覚的に表示される（図４中の工程４２２）。その後、機能リストから選択された機能は移動局によってディスプレイ中に受信および強調され得る（図４中の工程４２４）。続く例として図７に示されるように、ディスプレイ２２２中に表示される機能のリスト７０２はプルダウンメニューの形式であり得る。示されるように、リスト７０２が含み得る機能は、例えば「Ｃｏｐｙ」、「Ｓｅｌｅｃｔ」、「Ｃｌｅａｒ  Ｆｉｅｌｄ」、「Ｓａｖｅ  Ｄｒａｆｔ」、「Ｃａｌｌ  ８８８−２１２１」、および「ＳＭＳ  ８８８−２１２１」等である。ＳＭＳは、ＳＭＳメッセージの送信するためのショートメッセージサービスにとしては短い。スクロールホイール３１２を回転することによって、エンドユーザーは、機能のうち１つを選択するために機能リスト７０２をスクロールし得る。図７中では、「ＳＭＳ  ８８８−２１２１」はエンドユーザーがスクロールホイール３１２を回転することでリスト７０２から選択されることが示される。
【００３９】
図４のフローチャートに再度戻って言及すると、移動局は、リスト中の機能のうち一つが選択される間にスクロールホイールが押されたかどうかを識別する（図４中の工程４２６）。スクロールホイールが押され、電話機能以外の機能が選択される場合、移動局はこの他の選択された機能を処理する（図４の工程４２８）。例えば、この他の機能は、電話番号にＳＭＳメッセージの開始になり得る（例えば、図７参照）。しかしながら、移動局が工程４２６で通話機能の選択をする間にスクロールホイールが押されると判断する場合、移動局は無線ネットワークを通じてハイパーリンクの電話番号列に電話を開始する（図４中の工程４３０）。工程４０２から工程４１４および工程４２２から工程４３０が、移動局の従来の工程であることを注目されたい。
【００４０】
続く例では図８で示されるように、エンドユーザーが通話機能を開始する後に、通話情報８０２がディスプレイ２２２に表示される。通話情報８０２は、例えば掛けられる電話番号８０４のような、視覚的に表示される情報を含む。注目すべきは、エンドユーザーがスクロールキーを二回押すこと（工程４１４で第一回目に押し、および工程４２６で第二回目に押すこと）で、これは上記の電話番号に電話を掛けるためにプルダウンメニューの機能を通しての選択することを含む。
【００４１】
フローチャート図４に戻って注目すべきは、電話番号列のハイパーリンクが工程４１２において選択され、強調された後、スクロールホイールキーはその点で作動する必要がないということである。むしろ、ＳＥＮＤキーは図４中の工程４１６で押されおよび検出され得る。電話番号列のハイパーリンクの強調の後にこのＳＥＮＤキーを一回押すことに合わせて、移動局は無線ネットワークを通して電話番号列に電話を掛け始める（図４中の工程４３０）。ＳＥＮＤキーの作動は、途中で他のキーを押すことなくエンドユーザーがハイパーリンクを選択することに続いて実行される。機能オプションはエンドユーザーに対し表示されない；いったんＳＥＮＤキーが押されると、通話の開始がすぐに始まる。続く実施例において図８で再度示されるように、通話情報８０２は、エンドユーザーがＳＥＮＤキー３１０を押すことによって通話機能を開始した後、ディスプレイ２２２に表示される。通話情報８０２は、掛けられている電話番号８０４のような視覚的に表示される情報を含む。さらに、ハイパーリンクを強調した後に、上述の電話番号に電話を掛けるためにエンドユーザーはＳＥＮＤキーを一回押すことのみを要される。エンドユーザーがＥＮＤキー３１０を押すことによって通話が終わり得る。さらに、このフローチャートにおいては、他のキーが、工程４１４でのスクロールホイール作動、または工程４１８で識別される工程４１６でのＳＥＮＤキー作動の代わりに作動され得（図４中の工程４２０）、これら二者択一的な機能はこれにしたがって処理され得る（図４中の工程４２０）。
【００４２】
図４中のフローチャートに戻って再度言及すると、さらに通話はメッセージの受信に関係なくなされ得る。図４中のスタートブロック４５０（すなわち、「Ｓｔａｒｔ  Ｂ」）から始めて、エンドユーザーは、キーパッドの電話番号の数字０，１，２，３，４，５，６，７，８，９，＊および＃（図４中の工程４５２）を用いて電話番号列を選択および入力し得る。移動局が、電話番号列のマニュアルエントリーに続いてＳＥＮＤキーが押されることを検出する場合（図４中の工程４１６）、移動局は無線ネットワークを通じてその電話番号列に電話を掛け始める（図４中の工程４３０）。続く実施例においては図８に再度示されるように、ＳＥＮＤキー３１０を押すことによってエンドユーザーがこの機能を開始した後、通話情報８０２はディスプレイ２２２に表示される。通話情報８０２は、掛けられた電話番号８０４のような視覚的に表示される情報を含む。この通話はエンドユーザーがＥＮＤキー３１０を押すことによって終わり得る。
【００４３】
工程４０４−４１６（すなわち、選択されたハイパーリンクを用いたＳＥＮＤキーの使用）に基づく通話開始は、ハイパーリンクが選択された後すぐに実質的に電話を掛けられ得るという点でとても有利である。いくらかの処理工程は、工程４１４−４３０の使用と比較すると避けられ得る。さらに有利なのは、ハウジングの前面にあるＳＥＮＤキーはエンドユーザーの手（つまり、移動局を持っていない手）によって押され得るが、ハウジングの側面にあるスクロールホイールはエンドユーザーのもう一方の手によってハイパーリンクを選択するために使用され得る（すなわち、移動局を持っている手）ことである。さらに有利なのは、電話を掛け始めるためのいくらかの代替的な技術が移動局のさらに柔軟なおよび使いやすいユーザーのインターフェースに対して供給されることであり、特に音声およびデータ（例えば、電子メール）能力の双方を供給する移動局ではそうである。
【００４４】
明細書中に記載するように、無線通信ネットワーク中で操作する移動局から電話を開始するための方法は、移動局の無線受信器を通じてメッセージを受信する工程を含み得る；電話番号列を含むメッセージを移動局のユーザーインターフェースのディスプレイに視覚的に表示させる工程；そのメッセージがディスプレイに視覚的に表示される間にそのメッセージ中の電話番号列のハイパーリンクが使用のために作られる工程；そのメッセージを視覚的に表示する間に選択された場合、電話番号列のハイパーリンクが強調される工程；および、そのハイパーリンクが選択された場合、ユーザーインターフェースのキーを一回押すのにあわせて、電話番号列への電話が無線通信ネットワークを通じて開始される工程。途中でキーを押すことなくそのハイパーリンクの選択に続いてすぐにキーを一回押し得る。付加的な通話開始技術は、さらなる柔軟なおよび使いやすいインターフェースを供給するためにこの技術と組み合わせて供給される。本出願のコンピュータプログラム製品はストレージメディアおよびストレージメディアに記憶されるコンピュータ指示を含み得、ここでこのコンピュータ指示は上述の方法の使用により通話を始めるために一以上の操作により実行可能である。
【００４５】
本出願の移動局は、一以上のプロセッサ、一以上のプロセッサに接続された無線送受信器、およびディスプレイおよび複数のキーを有するユーザーインターフェースを含む。無線送受信器は、例えば電子メールのような、電話番号列を有するメッセージを受信するために有効である。このメッセージはディスプレイに視覚的に表示される場合、メッセージ中の電話番号列のハイパーリンクが作られる。電話番号列のハイパーリンクは、そのメッセージを視覚的に表示する間、エンドユーザーによって選択される場合に強調される（例えば、ユーザーインターフェースのスクロールホイールの使用により選択される場合）。そのハイパーリンクが選択される間に、ユーザーインターフェースのキーを一回押すことにあわせて、電話番号列への電話は無線通信ネットワークによって開始される。途中でキーを押すことなく、このハイパーリンクの選択に続いてすぐにキーを一回押し得る。
【００４６】
本出願の上述した実施形態は実施例のみが意図される。本技術におけるスキルであるこれらのものは、本出願の範囲から離れることなく特別な実施形態に対して代替し、修正し、および変化し得る。列挙された請求の範囲において明細書中に記載された本発明は技術におけるすべての適切な変化を包み、および包含することを意図する。
【図面の簡単な説明】
【００４７】
【図１】移動局の関連ある構成要素および無線通信ネットワークを示す。
【図２】図１の好ましい移動局のさらに詳細なダイアグラムを示す。
【図３】ディスプレイおよび複数のボタンを有するユーザーインターフェースを示す例示的な移動局の正面を示す。
【図４】図１−３の移動局から通話を開始するユーザーインターフェースの方法を記載するフローチャートを示す。
【図５】電話番号列のハイパーリンクを有するメッセージがディスプレイに表示される点を除いては、図３に示す移動局を示す。
【図６】電話番号列のハイパーリンクがスクロールホイールを使用してエンドユーザーにより選択され、ディスプレイ中に強調される点を除いては、図５に示す移動局を示す。
【図７】電話番号列の機能のリストを提供するためにハイパーリンクの選択をする間にスクロールホイールが押された点を除いては、図６に示す移動局を示す。
【図８】ＳＥＮＤボタンが電話番号列に通話を開始するためにハイパーリンクを選択する間に押されたことを除いて、図６に示す移動局を示す。
【図９】移動局に有効活用し得るスクロールホイールの平面図を示す。
【図１０】移動局のスクロールホイールの側面図を示す。
【符号の説明】
【００４８】
１００  通信システム
１０２  移動局
１０４  無線通信ネットワーク
１０６  コントローラー
１０８  無線周波数（ＲＦ）送受信器回路
１１０  アンテナ
１１２  ディスプレイ
１１４  キーボード
１１６  予備のユーザーインターフェース（ＵＩ）
【図１】
2008301524.tif 000003
【図２】
2008301524.tif 000004
【図３】
2008301524.tif 000005
【図４】
2008301524.tif 000006
【図５】
2008301524.tif 000007
【図６】
2008301524.tif 000008
【図７】
2008301524.tif 000009
【図８】
2008301524.tif 000010
【図９】
2008301524.tif 000011
【図１０】
2008301524.tif 000012